(57)【特許請求の範囲】
【請求項１】
頂角が切断された二つのすり鉢状の底面を継ぎ合わせ回転可能な双円錐形状とし、
該双円錐空洞内に、前記頂角が切断された二つの別の開口部ごとに動力入力の伝動軸と動力出力の伝動軸を挿入し、
前記動力入力の伝動軸の軸に平行に動き且つ空転しないローラーを貫通させ外周を双円錐の一方のすり鉢状の内壁に接触させて動力を伝達させ、
前記ローラーを前記動力入力の伝動軸の軸に平行に可動させるシフトフォークを介しアクチュエーターで制御し、
前記ローラーの外周で前記双円錐を回転させて対面するすり鉢状の空洞の内壁に別のローラーの外周を接触させ、
前記ローラーを前記動力出力の伝動軸の軸に平行に動き且つ空転させずに貫通させ前記ローラーを前記動力出力の伝動軸の軸に平行に可動させるシフトフォークを介してアクチュエーターで制御し動力を変速して伝達することを特徴とした双円錐型無段変速機。
【請求項２】
前記動力入力の伝動軸と前記動力出力の伝動軸の双方を、前記動力入力の伝動軸と前記動力出力の伝動軸が回転可能な状態で嵌め込み接続された接続棒を前記双円錐空洞内に配置することを特徴とした請求項１記載の双円錐型無段変速機。
【請求項３】
前記双円錐の空洞内の前記接続棒に、該双円錐の内壁にローラーを押し付ける圧力を、前記伝動軸を介して加える機能を備えることを特徴とする請求項２記載の双円錐型無段変速機。
【請求項４】
ローラーを移動させるシフトフォークを上下方向に空転させずに平行可動させ支持するガイド棒と、
アクチュエーターの駆動力を橋渡しするプーリーを前記接続棒に配置し前記プーリーと前記シフトフォーク引掛け部と前記アクチュエーターの駆動力伝達部を一回りするベルトを掛け、
前記アクチュエーターで前記シフトフォークを介し、前記ローラーを制御することを特徴とした請求項１から３何れか１項記載の双円錐型無段変速機。
【請求項５】
前記ローラーを制御するシフトフォークにアクチュエーターを設置し、
前記ガイド棒にはラックを、前記アクチュエーターにはピニオン・ギアを配置し、
ラック・アンド・ピニオン機構で前記アクチュエーターを搭載した前記シフトフォークを平行可動させることを特徴とした請求項１から３何れか１項記載の双円錐型無段変速機。
【請求項６】
前記双円錐の頂角を切断した開口部付近の前記ガイド棒に連結部品を接合し、該連結部品を前記接続棒にも接合させることを特徴とした請求項１から５何れか１項記載の双円錐型無段変速機。
【請求項７】
前記双円錐の空洞内に、該双円錐が回転可能な範囲で頂角付近を外部と固定された双円錐に近い形状の内双円錐部品を配置し、
該内双円錐形状を変速に必要な機能部分をくり抜き、
前記ガイド棒の両端付近を固定する挿入穴を設けることを特徴とする請求項１、請求項４、請求項５何れか１項記載の双円錐型無段変速機。
【請求項８】
前記伝動軸を回転可能とする前記伝動軸軸受の嵌め込み口を備える伝動軸受固定部品と前記内双円錐形状の部位に前記伝動軸受固定部品を挿入する挿入穴を設け、
該伝動軸受固定部品が可動する形態で前記挿入穴に挿入し、
前記伝動軸受固定部品を前記双円錐の内壁へ押し付ける機能を備えることを特徴とする請求項７記載の双円錐型無段変速機。
【請求項９】
前記双円錐の赤道付近で分離し、該赤道付近で分離されたすり鉢状の底面を円管で継ぎ合わせることを特徴とした請求項１から９何れか１項記載の双円錐型無段変速機。
【請求項１０】
前記双円錐の赤道付近で分離し、該赤道付近で分離されたすり鉢状の底面を継ぎ合わせた前記円管の外周部に回転軸受を嵌め込むことを特徴とした請求項９記載の双円錐型無段変速機。
【請求項１１】
前記双円錐の頂角を切断した開口部に円管を継ぎ合わせることを特徴とした請求項１から１０何れか１項記載の双円錐型無段変速機。
【請求項１２】
前記双円錐の頂角を切断した開口部に継ぎ合わせた前記円管の外周部に回転軸受を嵌め込むことを特徴とした請求項１１記載の双円錐型無段変速機。
【請求項１３】
請求項１から１２何れか１項記載の双円錐型無段変速機において、
前記双円錐の赤道付近に塵の排出口を設けることを特徴とした双円錐型無段変速機。
【発明の詳細な説明】
【技術分野】
【０００１】
本発明は、双円錐形状の内壁を用いて変速比を生成することを可能にした無段変速機に関する分野である。
【背景技術】
【０００２】
今のところ、自動車等、各種車両の駆動系にトラクションドライブ機構を利用した無段変速機(CVT)に関する様々な技術が提供され、ベルト式の無段変速機としては、主動側のプーリと、車輪に動力を伝達する出力軸に連結された従動側のプーリとの間に伝達ベルトが巻き付けられ、前記プーリ間の摩擦による伝達損失と、大排気量車やターボ車等の大トルクの伝達には不向きとされている。
【０００３】
二つの円錐体をチェーンで連結させて無段階変速を行う方法として特許第３３８１９１４号公報（特許文献１）で既に知られており、二つの円錐体間でチェーンを弛ませずに連結することとなると、同トルク、同変速比の範囲が〔０００２〕の無段変速機(CVT)と比較すると大きなスペースが必要である。
【０００４】
他に二つの円錐体を利用する無段変速機として特開２００１−３４９４０４の円錐摩擦伝動式無断変速機があり、強いトルクや耐久性の向上、迅速なギア比の変更も可能ではあるが、円錐原車と逆円錐従車の両軸の直線上に中間遊動車の配置とならずに二つのローラーを連結棒で前記両円錐に押し付けるための応力と、円錐と中間遊動車の外周の凸状面同士の少ない接触面のため、動力損失を防ぐため前記二つのローラーを空転させないために大きな応力で前記二つのローラーを挟み込む必要がある。
【先行技術文献】
【特許文献】
【０００５】
【特許文献１】特許第３３８１９１４号公報
【特許文献２】特開２００１−３４９４０４公報
【発明の概要】
【発明が解決しようとする課題】
【０００６】
本発明は上記背景技術を鑑み、従来よりの無段変速機（CVT）の動力伝達プーリーとベルト間のすべり損失を構造的に解決し、変速比の生成を二つの円錐の内壁の円周比を利用することを特徴とし、動力伝達を介するローラーと円錐が凹凸状態で接触している関係上、接触面積と接触圧力が効率良く取れることに加え、シンプルな構造による動力伝達の効率化と部品点数の低減による省スペース化、二つの前記ローラーを個々に制御することで変速及び変速速度を極め細やかに制御することを目的とする。
【課題を解決するための手段】
【０００７】
本発明の双円錐型無段変速機１は、頂角が切断された二つのすり鉢状の底面を継ぎ合わせ回転可能な双円錐２形状とし、該双円錐２の空洞内に頂角が切断された各々の開口部から動力入力側伝動軸３iと動力出力側伝動軸３eを挿入し、前記二本の伝動軸３i,３e夫々の軸に平行に動き且つ空転しないローラー４i,４eを各々貫通させ、該前記ローラー４i,4eの外周を前記双円錐２の内壁面に接触させて動力を伝達し、前記ローラー４i,４eを挟むシフトフォーク５を支持するガイド棒６に加え、前記ローラー４i,４e二個各々の位置を測定する位置センサーを設け、該二個のローラー４i,４e位置、動力入力の回転数やトルク、原動機の運転状態履歴等からCPUで適正な変速比を算出し、歯付ベルト７と接続棒８側歯付プーリー９とアクチュエーター側歯付プーリー１０と外部アクチュエーターでシフトフォーク５を可動させて、前記ローラー４i,４e各々の位置を前記CPU制御で変速する。
【０００８】
また、前記二本の伝動軸３i,３eの回転を安定させることと、前記二個のローラー４i,４eを双円錐２の内壁面に押え付けることを目的として接続棒８を配置する。該接続棒８に嵌め込まれた伝動軸用軸受１１を前記二本の伝動軸３i,３eに差込み、該前記二本の伝動軸３i,３eの先端付近に差込まれている動力入力側と動力出力側二個の伝動軸用軸受１１同士を前記接続棒８で支え橋渡しし、該接続棒８は、前記双円錐２内で遊離する状態になる。
【０００９】
更に、前記ローラー４i,４eが前記双円錐２の内壁面で滑り空転させずにグリップさせる目的で、前記ローラー４i,４eのローラータイヤ２５を前記双円錐２の内壁面により一層の押し付ける圧力を加えるため、前記接続棒８に前記二本の伝動軸３i,３eの先端を双円錐２の内壁面へ向かわせる圧縮バネ１２等の懸架装置を備える手段もある。
【００１０】
更に及んで、搭載型シフトフォーク１３に搭載型アクチュエーター１５を設置し、該搭載型シフトフォーク１３をアクチュエーター制御用ラック付ガイド棒１４に支持させ、該搭載型シフトフォーク１３を上下方向への空転を抑えるシフトフォーク用ガイド溝１７と、前記搭載型アクチュエーター１５のピニオンギア１６からの駆動力を受けるラック部１８と、前記接続棒８と固定する差込口１９を備える手段を用いることで、双円錐２内の省スペース化、よりダイレクトなローラー４i,４eの制御が可能になる。
【００１１】
本発明の製作を思慮すると、双円錐２の回転の安定と前記接続棒８の設計を簡素化のために前記双円錐２の赤道上を分離し赤道用円管２０で継ぎ、該赤道用円管２０の外周を軸受で支えることや、前記双円錐２の頂角が切断された開口部に両端用円管２１を継ぎ、該両端用円管２１の外周を規格の軸受を嵌め込んで双円錐２の回転を受け止める手段も選択できる。
【発明の効果】
【００１２】
既存の一般的な無段変速機（CVT）のプーリーと接触する動力伝達ベルトは、該ベルトの側面を横すべりさせながらの動力伝達と変速比変更しており、横滑り抵抗の軽減と変速スピードと変速精度を高めることが難解であったが、本発明ではローラー４i,４eの外周と双円錐２の内壁面が凸凹で接する特徴を有するので、前記ローラー４i,４eが滑り空転させずグリップ状態を保つことを、背景技術よりも軽易に実施することが可能である。
【００１３】
本発明の双円錐型無段変速機１の特徴として、頂角を切り落としたすり鉢状の円錐を赤道上でダイレクトに継ぎ合わせての双円錐形体とするので動力伝達損失の低減、更には、変速機潤滑オイルの不要の可能性と部品点数を少なく抑えられる効果が認められる。
【００１４】
上記二つの先行技術文献〔０００５〕〔特許文献１〕の特許第３３８１９１４号、〔特許文献２〕特開２００１−３４９４０４の無段変速機は、変速比の制御を単一のアクチュエーターで行っているが、本発明の前記双円錐型無段変速機１は、２つのアクチュエーターで制御し、〔０００２〕の従来よりの無段変速機（CVT）の前記プーリーと前記伝達ベルト間の横滑り抵抗での動力伝達に頼らずに構造的解決をもって、高効率の動力伝達と的確な変速、素早い変速スピード等により、より極め細やかな制御が期待できる。
【００１５】
本発明の双円錐型無段変速機１の出力回転数（Re）の理論値は図７を参考にして、Riの入力回転数、入力側ローラーの直径d1、前記入力側ローラーに接する双円錐内壁の外周の直径D1、出力側ローラーの直径d2、前記出力側ローラーに当たる双円錐内壁の外周の直径D2と円周率πとすると、
【００１６】
【数１】
0005480197.tif 000002
【００１７】
そして、最小出力回転数（Re-min）を求める理論値は図７(a)より、Riの入力回転数、入力側ローラー直径（d1min）を円錐内壁最大直径部(D1min)に、出力側ローラー直径(d2min)を円錐内壁最小直径部(D2min)に当てることで得られ〔数１〕に代入すると、
【００１８】
【数２】
0005480197.tif 000003
【００１９】
また、最大出力回転数（Re-max）を求める理論値は図７(b)より、Riの入力回転数、入力側ローラー直径（d1max）を円錐内壁最小直径部(D1max)に、出力側ローラー直径(d2max)を円錐内壁最大直径部(D2max)に当てることで得られ〔数１〕に代入すると、
【００２０】
【数３】
0005480197.tif 000004
【００２１】
これらで導き出された〔数２〕と〔数３〕の数式から変速比（理論値）が求められる。変速比を示すと、
【００２２】
【数４】
0005480197.tif 000005
【図面の簡単な説明】
【００２３】
【図１】本発明に係る要部側面断面図。
【図２】図１に示す双円錐部品の正面図。
【図３】圧縮バネ付接続棒の部分正面図。
【図４】アクチュエーター制御用ラック付ガイド棒の正面図と側面図。
【図５】シフトフォーク搭載型アクチュエーター利用の概略図。
【図６】本発明の軸受配置例に係る側面図。
【図７】本発明の変速比に関する図であり、(a)は変速比最小時の図。(b)は変速比最大時の図。
【図８】本発明に係る動力伝達の(a)ローラーのローラの正面図と側面図(b)ローラー軸の正面図と側面図。
【図９】本発明の双円錐の展開図の一部とローラーの接する図で(a)垂直の図。(b)左右角度を与えた図。
【図１０】本発明の実施例である接続棒とガイド棒を連結する連結部品の利用を示す概略図。
【図１１】本発明の実施例である内双円錐の利用を示す概略図。
【図１２】本発明の実施例である少数段円錐混合型変速機の概略図。
【発明を実施するための形態】
【００２４】
本発明の双円錐型無段変速機１の双円錐２の形態は、動力伝達時には常時回転する回転体であるので軽量コンパクトが求められ、前記双円錐２の傾斜している外壁の外周部に規格外の軸受を嵌め込む方法が最良と考えるが、双円錐２の頂角を切断し両端用円管２１を継ぎ合わせ規格品の軸受を嵌め込む方法や、傾斜している外壁に円管を嵌め込む形で前記円管の一方の開口部を双円錐２の外壁に継ぎ、もう一方の該円管と双円錐２の外壁の隙間が開いている部分をワッシャー形状等何らかの部材で補強した上で、該円管の外周部に規格品の軸受を嵌め込む方法もある。
【００２５】
また、双円錐２の回転体を高速回転させる上で回転バランスを保持するために、双円錐２の赤道を分離し赤道用円管２０を継ぎ合わせ、該赤道用円管２０の外周に軸受を嵌め込み、該軸受と〔００２４〕で記載の規格品の軸受２個と合わせて計３個の軸受で前記双円錐２を支持する形態もある。
【００２６】
二個のローラー４i,4e等が双円錐２内で発生する塵を排出する手段として、双円錐２の赤道付近に前記塵を排出するための排出口２２を、前記双円錐２の回転バランスを考慮しながら設置することを検討したい。
【００２７】
前記赤道用円管２０で赤道付近を円柱状にすることで、二本の伝動軸３i,３eを渡す接続棒８をコンパクトな設計で〔０００９〕記載の前記圧縮バネ１２等のレイアウトが容易になる可能性が認められ、別の視点からは、前記赤道用円管２０を設けることで常時回転する回転体である双円錐２の重量が増えることから、慣性モーメント等の兼ね合いを考慮する必要がある。
【００２８】
前記伝動軸３i,３eと双円錐２間の動力を伝達する前記ローラー４i,４eは、前記伝動軸３i３eからの大トルクを支持する為、ローラーピン２３を複数設けることが望ましく、また、前記伝動軸３i,３eの軸に沿っての平行移動を容易にするためローラーピン２３に軸受を配置することも一考であり、前記ローラー４i,４eのローラー金属部２４の外周にゴム等のグリップ状態の維持が容易で、且つ長寿命なローラータイヤ２５を履かせ、双円錐２の内壁を確りグリップさせながら前記伝動軸３i,３eの軸上の平行移動を容易にすることが求められる。
【００２９】
前記伝動軸３i,３eは、前記ローラー４i,４eのローラーピン２３をガイドする伝動軸用ガイド溝２６部を設け、前記ローラータイヤ２５に要求性能を発揮させるためにも剛性、耐久性、重量面等で適切な材質を選択したい。
【００３０】
本発明の双円錐型無段変速機１の組立を容易にするために双円錐２の赤道付近を分離可能とし、前記伝動軸３i,３eに前記ローラー４i,４eを挿入し、伝動軸軸受圧入部２７に伝動軸用軸受１１を圧入して接続棒８で支え橋渡しさせるように組み付けた後、前記双円錐２のすり鉢同士を継ぎ合わせる組立法もある。
【００３１】
前記伝動軸３i,３eの回転を安定させるように努めると共に、より一段と前記ローラー４i,４eを双円錐２の内壁面にスリップさせず確りグリップさせ続けるために、前記伝動軸３i,３eを双円錐２の内壁面に押え付ける圧力を掛ける圧縮バネ１２等の懸架装置を前記接続棒８に設置する方法もある。
【００３２】
変速のためシフトフォーク５で前記ローラー４i,４eを挟み込み、該シフトフォーク５を上下方向に空転させずに前記伝動軸３i,３eの軸に平行に配置するガイド棒６を、前記接続棒８と双円錐２の頂角付近の開口部の外部固定部位とで接続し、前記シフトフォーク５の位置を制御するため、双円錐２の二つの頂角を切断した開口部の外に二つの外部アクチュエーターを配置し、該外部アクチュエーターにアクチュエーター側歯付プーリー１０と、前記接続棒８にも回転可能な接続棒側歯付プーリー９を取付けて歯付ベルト７を前記シフトフォーク５を引掛ける形で一回りさせ装着し、前記外部アクチュエーターで前記シフトフォーク５を介し前記ローラー４i,４eを制御する。
【００３３】
前記シフトフォーク５を可動させるにあたり〔００３２〕の記載ではガイド棒６とアクチュエーター制御関連の機能を別立てにする形態を示しているが、実用量産面では、搭載型アクチュエーター１５をアクチュエーター搭載型シフトフォーク１３に設置させ、前記搭載型アクチュエーター１５にピニオンギア１６を配し、該搭載型シフトフォーク１３をガイドするシフトフォーク用ガイド溝１７と前記ピニオン部１６の受部としてのラック１８部を設ける前記ラック付ガイド棒１４を用いることで、前記搭載型シフトフォーク１３のガイドと、搭載型アクチュエーター１５の制御という二つの役割を持たせることが実用量産面で適した形態と考える。
【００３４】
前記ガイド付ラック棒１４の採用により外部アクチュエーターを双円錐２の空洞内に収められることは、主に前記接続棒側歯付プーリー９や歯付ベルト７を省略させ、前記搭載型シフトフォーク１３に前記搭載型アクチュエーター１５を設置し直にラック・アンド・ピニオン機構で可動させるので、より一層ダイレクトな制御が可能になる。他にも、特に双円錐２の切断された頂角の開口部付近での省スペース化は肝要で、本発明の双円錐型無段変速機１の常時回転する双円錐２全体の大きさに良い納まりを与える。
【００３５】
変速比を定め制御する方法として、双円錐２内の適当な位置に取付けられたローラー４i,４eの位置を計測する位置センサーからの前記ローラー４i,４e位置と、原動機の回転速度、トルク等のセンサー類や前記原動機を操る運転者の意図に加え、運転傾向の癖や本発明を含む様々な機器の設計上の安全性をCPUで考慮し、該CPUの計算結果をアクチュエーターでシフトフォーク５や搭載型シフトフォーク１３を介し前記ローラー４i,４eを制御して、前記双円錐２の内壁面に押し付けながら変速比の変更を実施する。
【実施例１】
【００３６】
本発明の双円錐型無段変速機１の変速比を生成する実施例として、双円錐の二つのすり鉢の高さ、場合によっては赤道部外周を変更することによって、用途や原動機の出力特性への適合や省スペース化が可能で、例えば、スポーツ用自転車のペダル付近のギアミッションと後輪タイヤ付近のギアミッションの外周と変速段数の違いと同様に実施できることと、出力側ローラー４eと伝動軸３eは入力側ローラー4iと伝動軸３iよりも想定される設計荷重を概ね低く設定することが可能で、二個の入出力ローラー4i,4eと伝動軸3i,3eの夫々を変更することで、より省スペース軽量化が図れ、延いては、〔００２２〕の〔数４〕の数式に示される通り、柔軟な変速比の生成が可能である。
【実施例２】
【００３７】
前記接続棒８や前記ガイド棒６又は前記ラック付ガイド棒１４付近の部品の振動等の安定と剛性補強のため、前記ガイド棒６又は前記ラック付ガイド棒１４と、前記接続棒８を三点で連結させる連結部品２８を配置することで、該連結部品２８付近の部品の振動等に対する安定と剛性補強の効果がある。連結部品２８(棒)の正面に、接続棒８の幅が嵌る切り込みを入れ、前記接続棒８の定められた部位に嵌め込み、該接続棒８と前記連結部品２８(棒)と溶接する製作方法がある
【実施例３】
【００３８】
更に確りと剛性強化を果す一例として、河川の架かる橋梁のアーチ橋特有の構造的な利点の活用ではないが、該アーチ橋の橋桁で分離し、該アーチ橋の岸部同士を反転背中合わせで路面を継ぎ合わせ、接続棒８の板面と前記アーチ橋の前記路面部分を垂直に接合すると、該路面部分は、前記路面の中心線上に前記ガイド棒６又は前記ラック付ガイド棒１４、伝動軸３i,３eが配置され、双円錐２の切断された頂角付近の開口部の大きさによって前記アーチ橋の幅員を狭くする形態を採り、外部固定部位に接続する。
【００３９】
前記アーチ橋の岸部と接合する接続棒８には、前記ガイド棒６又は前記ラック付ガイド棒１４の一端が嵌め込み固定させ、対する一端を前記外部固定部位に接続固定すると、斜張橋のケーブル部分と似た形態で、前記斜張橋のケーブルは、概ね引張応力のみ想定されているが、前記ガイド棒６又は前記ラック付ガイド棒１４は、金属棒を採用していることから、前記引張応力に加え、圧縮応力、捻り応力にも対応でき、前記双円錐型無段変速機１の空洞内を始め固定部位全体の剛性強化が相当程度見込めると考える。
【実施例４】
【００４０】
前記双円錐無段変速機１の双円錐２の空洞内に該双円錐２が回転可能な範囲で頂角付近を外部と固定された双円錐に近い形状の内双円錐２８を配置し、該内双円錐２８の形状を前記双円錐２の空洞内の機器が可動する機能部分をくり抜き、前記ガイド棒６又は前記ラック付ガイド棒１４の両端付近を固定する挿入口２９を設ける。
【００４１】
前記内双円錐２８方式を採用した場合、前記双円錐２の空洞内に於ける静物部品を始め全部品の振動等への対策と剛性補強の効果は多大と思慮し、前記双円錐２の空洞内の可動部品の適正な性能発揮と正確な動作を引き出すと共に、前記内双円錐２８は、回転体や可動部品で選択される材質ほどの高品質の必要がなく、金属以外の材質（合成樹脂等）でも製作可能と考えるが、該内双円錐２８の形状については、前記双円錐２や前記ローラー４i,４eは高速回転する運転もあることから、前記双円錐２の空洞内で発生する空気の運動作用を鑑みた設計を施したい。また、実用量産面では、金型での作製が可能であるので、〔実施例３〕の複数の部品を製作し組合せる手法よりも簡単で安価な製造を見通すことが出来る。
【００４２】
前記内双円錐２８の部位に前記伝動軸軸受１１の嵌め込み口を備える伝動軸受固定部品３０を挿入する挿入穴３１を設け、該伝動軸受固定部品３０を動力伝動軸3i,3eを回転可能な双円錐２の内壁に押し付ける圧縮バネ３２等の懸架装置を前記内双円錐２８の前記挿入穴３１内に挿入し、前記圧縮バネ３２等の懸架装置を挟み込む形で伝動軸受固定部品３０を前記挿入穴３１に挿入することで、前記ローラー４i,４eを双円錐２の内壁に適切な圧力を掛け続けることが可能になり、前記ローラー４i,４eが、確りしたグリップを保ち高効率の動力伝達で且つ長時間運転が実施可能になる。
【実施例５】
【００４３】
本発明の双円錐型無段変速機１の動力伝達のための双円錐２空洞内の二個のローラー４i,４eは、図９(a)に示す通り二つの伝動軸３i,３eの軸に対し垂直に双円錐２の内壁面に当てているが、図９(b)は該垂直から左右角度θを付与している一例を図示しており、前記二個のローラー４i,４eを上下左右に角度を与えることによって、より極め細やかでスムーズな変速と伝動効率の向上を図りたい。
【００４４】
他にも、前記ローラー４i,４eのローラータイヤ２５を凸状にすること、また凸の頂点を偏心させる等の工夫を凝らすことで〔００４３〕と共に合わせて、より極め細やかでスムーズな変速と伝動効率の向上を研究したい。
【実施例６】
【００４５】
本発明の双円錐型無段変速機１を基に一層の省スペース化と機構の簡略化を考慮し、実施の一例として図１２の概略図のように双円錐の二つのすり鉢の一方に段差を付ける形態とし、内壁側の内歯車と平歯車の噛合い方式での変速と、本発明の円錐内壁を利用しての変速を組合せる少数段円錐混合型変速機３３も実施可能で、該歯車は、はすば歯車かやまば歯車を選択し、シフト方式としても一般的な方法の選択の他に、前記少数段円錐混合型変速機３３は小段数で成立し得る特徴から電磁石方式での実施も面白い。
【００４６】
前記少数段円錐混合型変速機３３は、一般的な自動車の変速式オートマチックトランスミッションのキックダウンと同様の良い印象を運転者に与える加速感を味わえることに加え、構造的に一段の歯車で対応できる範囲が大きいことから、一般的に運転者にマイナスの印象を与える小刻みな変速ショックを解消することが出来る。また、構造的にも全体のスペース的にも双円錐形体では前記双円錐型無段変速機１では成立困難な車両の後進用ギア（バックギア）を埋め込むことも容易である。
【００４７】
前記少数段円錐混合型変速機３３の少数段の歯車が噛合う場所は、一般的に変速機循環オイルが必要なことから、動力入力伝達軸等にはオイルシール等でオイル漏れを防ぎ、前記少数段円錐混合型変速機の円錐部との間にオイル隔壁３４を設ける必要があると考える。
【産業上の利用可能性】
【００４８】
本発明の双円錐型無段変速機１を自動車で利用する場合、FR（フロントエンジンリア駆動）形式がレイアウト的に好都合である。自動車の前部から順に、エンジン−本発明の双円錐型無段変速機１−クラッチ−後進用モーター（兼オルタネーター）−リアデフ−後輪駆動輪という利用可能性もあり、本発明の前記双円錐型無段変速機１自体にフライホイールの機能を持たせることや、前記後進用モーターにオルタネーターの役割も持たせ全発電量を増加させることで、一時停車の際のエンジン停止時（アイドリングストップ機能）のエアコン等の機器動作用電力に、更には、前記後進用モーターを逆回転させることで低速時の前進走行用としての利用の可能性も検討したい。（ハイブリット自動車）    
【００４９】
エンジン付二輪車（以下バイクという）の変速機で要求される変速比は、小排気量車は約３、中排気量車（４００ｃｃ程度）は約２.２、大排気量車（１０００ｃｃ程度）は約２であることから、前記変速比を〔００２２〕の〔数４〕の式に代入し、本発明の双円錐型無段変速機の頂角付近の内壁の直径（D）を１００ｍｍと仮定したとしても、例としてドイツBMW社製バイクの水平対抗エンジンの横幅程度で収まる計算ではあるが、省スペース化を考慮し、双円錐の二つのすり鉢の大きさを異ならせることも一考である。しかしながら、従来よりのバイクは、クランクシャフトの軸と駆動輪の軸が平行であることが殆どなので、前記双円錐の二つのすり鉢の大きさを異ならせると、機構的な動力伝達の流れの成立の困難性も内在している。
【００５０】
本発明の双円錐型無段変速機１をバイクで利用する場合、概ね車両後進用機能（バック機能）が不要なことと、何らかの事態で駆動輪が急遽回転を止めた場合、自動車で本発明の双円錐型無段変速機を用いた場合には再走行時の変速比が不確定のため再走行が不可能になる恐れがあることから、〔００４８〕に挙げている通りクラッチの位置を前記双円錐型無段変速機と後進用モーターとの間にレイアウトさせているが、前記バイクで用いる場合、該バイク用のセンタースタンドを掛けた後、エンジンをスタートさせて前記双円錐型無段変速機１の二つの入出力側ローラー４i,４eを定位置に戻せるので、従来よりのバイク用のクラッチ方式を用いることが可能と考える。
【００５１】
また、バイクという趣味的要素の強い乗り物から〔実施例６〕の少数段円錐混合型変速機３３の利用も面白く、少数段歯車変速機でのキックダウン（自動車のオートマチックで利用）と円錐部分での無段変速制御と相俟って、エンジンの通常運転の回転数からエンジン性能を最大限発揮できる回転数（パワーバンド域）への変速が的確に行える可能性が高く、歯車変速の変速音で素早い加速の準備を促せられてからのスロットルオープンは爽快に達す。
【符号の説明】
【００５２】
１     双円錐型無段変速機
２     双円錐
３i    (入力側)伝動軸
３e    (出力側)伝動軸
４i    (入力側)ローラー
４e    (出力側)ローラー
５     シフトフォーク
６     ガイド棒
７     歯付ベルト（シフトフォーク制御用）
８     接続棒
９     接続棒側歯付プーリー
１０   アクチュエーター側歯付プーリー
１１   伝動軸用軸受（接続棒と伝動軸間）
１２   圧縮バネ
１３   （アクチュエーター）搭載型シフトフォーク
１４   ラック付ガイド棒
１５   （シフトフォーク）搭載型アクチュエーター
１６   ピニオンギア（シフトフォーク搭載型アクチュエーター側）
１７   シフトフォーク用ガイド溝
１８   ラック
１９   差込口
２０   赤道用円管
２１   両端用円管
２２   塵の排出口
２３   ローラーピン
２４   ローラー金属部
２５   ローラータイヤ
２６   伝動軸用ガイド溝
２７   伝動軸軸受圧入部
２８   連結部品(棒)
２９   内双円錐
３０   伝動軸受固定部品
３１   挿入穴（伝動軸受固定部品）
３２   圧縮バネ（内双円錐）
３３   少数段円錐混合型変速機
３４   オイル隔壁
【図１】
0005480197.tif 000006
【図２】
0005480197.tif 000007
【図３】
0005480197.tif 000008
【図４】
0005480197.tif 000009
【図５】
0005480197.tif 000010
【図６】
0005480197.tif 000011
【図７】
0005480197.tif 000012
【図８】
0005480197.tif 000013
【図９】
0005480197.tif 000014
【図１０】
0005480197.tif 000015
【図１１】
0005480197.tif 000016
【図１２】
0005480197.tif 000017